【手続補正書】
【提出日】平成25年4月4日(2013.4.4)
【手続補正１】
【補正対象書類名】特許請求の範囲
【補正対象項目名】全文
【補正方法】変更
【補正の内容】
【特許請求の範囲】
【請求項１】
撮像光学系が形成した光学像を光電変換する撮像素子を光軸方向に微小移動させるウォブリングを行うことによって合焦位置がある方向を判別する自動焦点調節機能を有する撮像装置に使用される撮像素子ユニットであって、
前記撮像素子に結合され、力を受けて変形する変形部材と、
前記変形部材を支持し、前記変形部材が変形した時に支点として機能して前記変形部材が前記撮像素子を前記光軸方向に移動することを可能にする支持部材と、
前記変形部材に固定され、前記撮像素子の移動と連動して前記撮像素子とは反対方向に移動する錘と、
を有することを特徴とする撮像素子ユニット。
【請求項２】
前記支持部材の前記光軸方向の位置を調整する調整手段を更に有することを特徴とする請求項１に記載の撮像素子ユニット。
【請求項３】
前記錘は、前記撮像素子と接続される回路基板を含むことを特徴とする請求項１または２に記載の撮像素子ユニット。
【請求項４】
前記変形部材は平面状に形成されていることを特徴とする請求項１〜３のうちいずれか一項に記載の撮像素子ユニット。
【請求項５】
前記変形部材は圧電素子が貼りあわされていることを特徴とする請求項１〜４のうちいずれか一項に記載の撮像素子ユニット。
【請求項６】
前記錘と前記撮像素子は前記光軸方向において重ならないように配置されていることを特徴とする請求項１〜５のうちいずれか一項に記載の撮像素子ユニット。
【請求項７】
撮像光学系が形成した光学像を光電変換する撮像素子を光軸方向に微小移動させるウォブリングを行うことによって合焦位置がある方向を判別する自動焦点調節装置であって、
前記撮像素子に結合され、力を受けて変形する変形部材と、
前記変形部材を支持し、前記変形部材が変形した時に支点として機能して前記変形部材が前記撮像素子を前記光軸方向に移動することを可能にする支持部材と、
前記変形部材に固定され、前記撮像素子の移動と連動して前記撮像素子とは反対方向に移動する錘と、
を有することを特徴とする自動焦点調節装置。
【請求項８】
請求項７に記載の自動焦点調節装置を有することを特徴とする撮像装置。
【手続補正２】
【補正対象書類名】明細書
【補正対象項目名】００１７
【補正方法】変更
【補正の内容】
【００１７】
撮像素子ユニット４は、図４においては点線で囲まれており、センサ地板５、撮像素子８、板金９、一対の支持部材１０、圧電素子１１、錘１２を有する。
【手続補正３】
【補正対象書類名】明細書
【補正対象項目名】００４２
【補正方法】変更
【補正の内容】
【００４２】
システム制御部１４は、撮像素子ユニット４、信号処理回路１３、メモリ１５に接御されると共に、コネクタにも接続されている。システム制御部１４は、ウォブリングを含むＡＦ制御や画像処理制御を行うと共にレンズユニット２の不図示のレンズ制御部とコネクタを介して通信するマイクロコンピュータ（プロセッサ）である。
【手続補正４】
【補正対象書類名】明細書
【補正対象項目名】００４６
【補正方法】変更
【補正の内容】
【００４６】
図３（ａ）は圧電素子１１に電圧印加されない状態で、撮像素子８の撮像面は予定結像面Ｐと一致している。ここではプラスの電圧印加により、ウォブリングが開始されて、図３（ｂ）に示すように、撮像素子８が前進して錘１２が後退する。マイナスの電圧印加により、図３（ｃ）に示すように、撮像装置８が後退して錘１２が前進する。撮像素子８と錘１２は常に逆向きに移動するため、撮像素子８が移動することによる重心ずれが低減し、その結果、本体１に伝わる振動が低減する。また、支持部材１０を調整可能とすることによって撮像素子８がウォブリングするストロークを微調整したり、撮像素子８の撮像面の倒れ精度を向上することができる。
【手続補正５】
【補正対象書類名】明細書
【補正対象項目名】００４８
【補正方法】変更
【補正の内容】
【００４８】
次に、撮像素子８の撮像面とマウント１ａの距離及び平行度を調整する調整手段について説明する。なお、調整手段は撮像素子を移動しないレンズユニットが交換可能な撮像装置にも適用可能である。
【手続補正６】
【補正対象書類名】明細書
【補正対象項目名】００５３
【補正方法】変更
【補正の内容】
【００５３】
板金９Ａは平面形状を有する薄板部材であり、撮像素子８の長手方向を長手方向としている。板金９Ａは、その被写体側の表面中央にはジョイント６が固定され、その撮影者側の裏面中央部にはユニモルフ型の圧電素子１１が固定されている。板金９Ａは、その表裏面の、圧電素子１１が取り付けられている部分の外側において、一対の支持部材１０によって支持されている。
【手続補正７】
【補正対象書類名】明細書
【補正対象項目名】００５４
【補正方法】変更
【補正の内容】
【００５４】
板金９Ａの両端部には一対の錘１２Ａが設けられている。各錘１２Ａは撮像素子８の半分の質量を有し、平衡を維持している。即ち、板金９Ａの機能は板金９と同様であり、錘１２Ａの機能は錘１２と同様である。
【手続補正８】
【補正対象書類名】明細書
【補正対象項目名】００５８
【補正方法】変更
【補正の内容】
【００５８】
図６（ａ）は、実施例３の撮像素子ユニット４Ｂの上面図であり、図６（ｂ）は、図６（ａ）の状態からウォブリング動作により、撮像素子８が光軸方向被写体側に前進した状態を示す上面図である。撮像素子８が後退した状態の図は省略している。撮像素子ユニット４Ｂは駆動手段として圧電素子１１の代わりに電磁駆動ユニットを使用している点において撮像素子ユニット４Ａと相違している。
【手続補正９】
【補正対象書類名】明細書
【補正対象項目名】００６２
【補正方法】変更
【補正の内容】
【００６２】
板金９Ａは平面形状であるので、量産時にそのたわみ変形のばらつきが小さく、安定したストロークを実現することができる。また、板金９Ａが平面状に形成されているので板金が折り曲げ形状を有するよりも撮像素子ユニット４Ｂが光軸方向において薄くなる。
【手続補正１０】
【補正対象書類名】明細書
【補正対象項目名】００６４
【補正方法】変更
【補正の内容】
【００６４】
図７（ａ）は、実施例４の撮像素子ユニット４Ｃの一部透過正面図、図７（ｂ）は撮像素子８が光軸方向被写体側に前進した状態を示す撮像素子ユニット４Ｃの上面図である。撮像素子ユニット４Ｃは、平板十字形状の板金９Ｃと、二対の支持部材１０及び１０Ｃと、二対の錘１２Ａ及び１２Ｃを使用している点で撮像素子ユニット４Ａとは相違する。
【手続補正１１】
【補正対象書類名】明細書
【補正対象項目名】００６６
【補正方法】変更
【補正の内容】
【００６６】
図７（ａ）に示す状態で撮像素子ユニット４Ｃを配置すると重力方向は下方向となる。従って、図７（ｂ）において、支持部材１０の位置に対し、光軸方向で所定の距離だけ離れている撮像素子８が図面の裏面に向かう方向の重力に対し、板金９Ｃが図面の裏面側に向かう力により変形することが考えられる。実施例１〜３はこの問題を圧電素子を貼り合わせたり、板金の幅を広くすることで解決しており、他の手段としては板金自体の厚さを厚くしたり、曲げ部を追加したりすることがある。
【手続補正１２】
【補正対象書類名】明細書
【補正対象項目名】００６９
【補正方法】変更
【補正の内容】
【００６９】
本実施例でも同様に、撮像素子８と錘１２Ａ及び１２Ｃは常に逆向きに移動するため、撮像素子８が移動することによる重心ずれが低減し、その結果、本体に伝わる振動が低減する。また、撮像素子８のウォブリング時に撮像面の倒れ精度を保証することができる。
【手続補正１３】
【補正対象書類名】明細書
【補正対象項目名】００７０
【補正方法】変更
【補正の内容】
【００７０】
板金９Ｃは平面形状であるので、量産時にそのたわみ変形のばらつきが小さく、安定したストロークを実現することができる。また、板金９Ｃが平面状に形成されているので板金が折り曲げ形状を有するよりも撮像素子ユニット４Ｃが光軸方向において薄くなる。
【手続補正１４】
【補正対象書類名】明細書
【補正対象項目名】００７１
【補正方法】変更
【補正の内容】
【００７１】
更に、二対の錘１２Ａ及び１２Ｃが板金９Ｃの四方に配置され、錘１２Ａ及び１２Ｃと撮像素子８は光軸方向において重ならないように配置されているので撮像素子ユニット４よりも光軸方向の厚さを薄くすることができる。